(57)【要約】【課題】  スクロール可能かどうかを簡単に知らせる手段を提供する。【解決手段】  矩形の文字表示部分７ａの縦方向の一辺の長さをＸ＋Ｙとする。一方、一連の文章のうち現在表示されている表示部分の画面幅をｘとし、非表示部分の画面幅をｙとする。ここで、表示部分文字幅Ｘ：非表示部分文字幅Ｙ＝表示部分画面幅ｘ：非表示部分画面幅ｙとなるように、図１（ａ）に示す非表示部分文字幅Ｙを決める。但し、上記式により求めた値は必ずしも正確にその値でなくても良いことは言うまでもない。要するに、下側に非表示部分画面幅が多いほど、表示されている一番下側の文字の下端の非表示部分文字幅を大きくすることが基本である。上端の場合も同様である。これにより、下端又は上端の文字の切れ具合によって、どの程度スクロール可能な部分が残っているかが一目瞭然となる。【選択図】  図１
2006285751.tif 000002
【特許請求の範囲】
【請求項１】
表示画面とスクロール操作部とを含み、少なくとも文字情報を含むページの一部を前記表示画面に表示し、前記スクロール操作部によるスクロール操作によりページ全体を表示可能な表示装置において、
第１のスクロール方向にスクロール操作が可能である場合に、該第１のスクロール方向に、前記表示画面の画面端の文字を欠けさせて表示する表示制御を行うことを特徴とする表示装置。
【請求項２】
前記文字の欠けの比率とスクロール可能な残りページとを近似させて前記文字を表示させることを特徴とする請求項１に記載の表示装置。
【請求項３】
スクロール操作をしたときに、その方向を基点にして文字欠け表示を行うことを特徴とする請求項２に記載の表示装置。
【請求項４】
前記表示画面に表示される文字の表示特性に基づいて残りページの概算を示すことを特徴とする請求項１に記載の表示装置。
【請求項５】
前記表示特性は、スクロール方向の１又は２文字程度の表示特性であることを特徴とする請求項４に記載の表示装置。
【請求項６】
前記表示特性は、文字のα値(透明度)であることを特徴とする請求項４又は５に記載の表示装置。
【請求項７】
スクロール可能な残りページの概算についてある幅を持たせて前記表示特性を変更することを特徴とする請求項１から６までのいずれか１項に記載の表示装置。
【請求項８】
請求項１から７までのいずれか１項に記載の表示装置を備えた情報処理装置。
【発明の詳細な説明】
【技術分野】
【０００１】
本発明は、情報表示装置に関し、特に、スクロール操作が可能な文字情報表示装置に関する。
【背景技術】
【０００２】
近年、携帯電話機などの携帯情報端末の普及に伴って、文字情報などの種々の情報を小型の表示画面に表示させるための様々な技術が提案されている。例えば、スクロールバーを表示したり、移動可能な方向に矢印マークを出したりすることによって、スクロールの可否を表す技術が提案されている（特許文献１参照）。
【０００３】
【特許文献１】特開平２−３００８１９号公報
【発明の開示】
【発明が解決しようとする課題】
【０００４】
上記のように、スクロール機能は大変便利な機能であるが、どの程度スクロールできるかどうかについてはわかりづらいという問題があった。従って、スクロールが可能であるにもかかわらず、残りページを読み忘れてしまうこともある。また、周囲にスクロールバーを表示させる方法では、表示可能領域がさらに狭くなってしまうという問題もあった。
本発明の目的は、スクロール可能かどうかを簡単に知らせる手段を提供することである。
【課題を解決するための手段】
【０００５】
本発明によれば、スクロール方向の境界文字の欠け具合によってその方向にスクロール可能かどうか、可能であればどの程度可能であるかを表現することを特徴とする。
【発明の効果】
【０００６】
本発明によれば、表示する文字などにより、さらにスクロールが可能かどうかをユーザに知らせることができる。従って、表示領域を無駄にすることなく、明確にスクロール可能か否かとスクロール可能量とをユーザに知らせることが出来るという利点がある。
【発明を実施するための最良の形態】
【０００７】
以下、本発明の一実施の形態による情報表示装置について、特に、文字表示を例にして説明を行う。
【０００８】
図１は、本実施の形態による文字表示の原理を示す図である。図１（ａ）は、表示部分の文字幅と非表示部分の文字幅との関係を示す図であり、図１（ｂ）は、表示部分の画面幅と非表示部分の画面幅との関係を示す図である。図２は、本実施の形態による文字表示装置の一構成例を示す機能ブロック図である。図３（ａ）、（ｂ）は、本実施の形態による２通りの文字表示例を示す図である。図４は、本実施の形態による文字表示処理の流れを示すフローチャート図である。
【０００９】
図１（ａ）及び図１（ｂ）に示すように、例えば矩形の文字表示部分７ａの縦方向の一辺の長さをＸ＋Ｙとする。一方、一連の文章のうち現在表示されている表示部分の画面幅をｘとし、非表示部分の画面幅をｙとする。図１では下方向に注目して説明しているが、上方向に非表示部分文字幅がある場合も同様に表示させれば良い。上下両方の場合も同様である。
【００１０】
ここで、例えば、表示部分文字幅Ｘ：非表示部分文字幅Ｙ＝表示部分画面幅ｘ：非表示部分画面幅ｙとなるように、図１（ａ）に示す非表示部分文字幅Ｙを決める。但し、上記式により求めた値は必ずしも正確にその値でなくても良いことは言うまでもない。要するに、下側に非表示部分画面幅が多いほど、表示されている一番下側の文字の下端の非表示部分文字幅を大きくすることが基本である。上端の場合も同様である。
【００１１】
これにより、下端又は上端の文字の切れ具合によって、どの程度その方向（下方向又は上方向）にスクロール可能な部分が残っているか関して、実際にスクロール操作を行わなくても一目瞭然となる。
【００１２】
図２に示すように、本実施の形態による文字表示装置Ａは、表示処理装置１と、データ記憶装置３と、ユーザ入力装置５と、表示装置７と、を有している。データ記憶装置３は、表示装置７に表示させるデータを記憶し、表示処理装置１の制御によって、データ記憶装置３に記憶されているデータが表示装置７に表示される。ユーザ入力装置は、コンテンツの取り込みや表示に関する操作などをユーザが行うための操作部である。
【００１３】
図３（Ａ）に示すように、符号３ａで示される領域に表示されている文字情報は、一連の文字情報全体を示す。そのうち、領域３ａ−１、領域３ａ−２、領域３ａ−３、領域３ａ−４にそれぞれ示されている文字列が、表示装置に一度に表示可能な文字数を表している。一方、領域７ａ−１、領域７ａ−２、領域７ａ−３、領域７ａ−４は、それぞれ、領域３ａ−１〜４までに対応し、本実施の形態によるスクロール可能量をユーザに知らせるための手段を用いた場合の表示例である。領域７ａ−１は、その上側に非表示部分の画面幅ｙがないため（ｙ＝０）、上側の非表示文字幅Ｙも０になる。一方、領域７ａ−１は、その下側に非表示部分の画面幅ｙが多いため（ｙがほぼ１）、下側の非表示文字幅Ｙもほぼ１になり、最下端の文字列は上端部がわずかに見える程度に表示される。これにより、ユーザは、領域７ａ−１の状態から下方に向けて大きくスクロールすることができることを知ることが出来る。領域７ａ−２、領域７ａ−３では、少しずつ上方のｙは大きくなるとともに下方のｙが小さくなり、それに伴い、非表示文字幅Ｙも文字の中間当たりから区切れたように表示されるようになる。そして、領域７ａ−４では、下側の文字の欠けがなくなっている。
【００１４】
これらの、上側、下側の文字の欠けとその欠け量とにより、スクロールが可能であるか否か、可能である場合にどの程度可能であるかをユーザに知らせることができる。
【００１５】
また、図３（Ｂ）にように、符号３ａで示される領域に、表示領域内における最終文字２１ｂとその前の文字２１ａとが表示されているとすると、全ての文字ではなく、例えば最終文字とその前の文字などのように１〜２文字程度（文字数を限定する趣旨ではない）のみ、文字を欠けさせる表示を行っても良い。このようにすると、スクロールを知らせる文字数を少なくすることで、例えば最終行のほとんどの文字を読むことが可能である。
【００１６】
次に、本実施の形態による文字表示装置Ａにおける動作の流れについて図４を参照しつつ説明を行う。図４に示すように、本実施の形態による文字表示装置において、ステップＳ１においてページスクロール時においては、ステップＳ２において、表示画面の１ページ１行分をスクロールさせる（この状態では、まだ表示には反映させない）。
【００１７】
次いで、ステップＳ３において、最終行の文字幅／非表示部分文字幅（ｙ／ｘ）と、画面幅／非表示部分画面幅（Ｙ／Ｘ）とを比較する。
【００１８】
ステップＳ３において、ｙ／ｘ＝Ｙ／ＸであればステップＳ６に進み、この比率で文字を表示させる（表示に反映させる）。ｙ／ｘ＞Ｙ／ＸであればステップＳ４に進み、ｙ／ｘ＝Ｙ／Ｘになる位置まで、下方向にスクロールによる表示の微調整を行う。ｙ／ｘ＜Ｙ／ＸであればステップＳ５に進み、ｙ／ｘ＝Ｙ／Ｘになる位置まで、上方向にスクロールによる表示の微調整を行う。次いで、ステップＳ６に進み、この比率で文字を表示させる（表示に反映させる）。以上の処理により、文字の表示に基づいてスクロールに関する上方をユーザに伝えることができる。
【００１９】
次に、本発明の第２の実施の形態による文字表示装置について図面を参照しつつ説明を行う。図５は、本実施の形態による文字表示装置における文字表示とスクロールとの関係を示す図であり、縦軸Ｙは非表示部分の文字幅を示し、横軸ｙは非表示部分の画面幅を示す。本発明の第１の実施の形態においては、線Ｌ１で示すように、Ｙとｙとが比例する関係としてＹを求めたが、本実施の形態においては、図示するように、段階的にＹが変化するようになっている（Ｌ２参照）。これにより、表示位置に関する細かな調整は必要なくなり（演算が簡単になり）、ユーザは、スクロール量を大まかに把握することができる。
【００２０】
次に、本発明の第３の実施の形態による文字表示装置について図面を参照しつつ説明を行う。図６は、本実施の形態による文字表示装置における表示文字の透明度Ｔとｙ（ここでは非表示部分画面幅に対応する）との関係を示す図である。図６に示すように、非表示部分画面幅ｙが大きくなると、表示文字の透明度が高くなっている。このように、表示文字の透明度によって、スクロール量を表示することも可能である。
【００２１】
以上のように、本発明の各実施の形態においては、種々の文字の表示特性に基づいてスクロール量を表している。文字の表示特性は上記の例に限定されるものではない。このようにすることにより、ユーザは一目でスクロールが可能かどうか、どの程度可能であるかを知ることが出来るという利点がある。スクロールキーの代わりにアップ／ダウンキーを用いても良い。また、スクロール方向は上下に限定されず、左右であっても同様の考え方により実現できることは言うまでもない。
【産業上の利用可能性】
【００２２】
本発明は、文字表示装置を備えた各種情報処理装置に利用可能である。
【図面の簡単な説明】
【００２３】
【図１】本発明の第１の実施の形態による文字表示の原理を示す図である。
【図２】本実施の形態による文字表示装置の一構成例を示す図である。
【図３】図３（ａ）、（ｂ）は、本実施の形態による２通りの文字表示例を示す図である。
【図４】本実施の形態による文字表示処理の流れを示すフローチャート図である。
【図５】本発明の第２の実施の形態による文字表示装置における文字表示とスクロールとの関係を示す図であり、縦軸Ｙは非表示部分の文字幅を示し、横軸ｙは非表示部分の画面幅を示す。
【図６】本発明の第３の実施の形態による文字表示装置における表示文字の透明度とｙとの関係を示す図である。
【符号の説明】
【００２４】
Ａ‥文字表示装置、１‥表示処理装置、３‥データ記憶装置、５‥ユーザ入力装置、７‥表示装置。
【図１】
2006285751.tif 000003
【図２】
2006285751.tif 000004
【図３】
2006285751.tif 000005
【図４】
2006285751.tif 000006
【図５】
2006285751.tif 000007
【図６】
2006285751.tif 000008